(57)【要約】【課題】スケーラビリティが高く、ＣＤＣ機能を有するＲＯＡＤＭシステムを実現することのできる光信号分岐装置を提供する。【解決手段】複数の出力部３１は、第１の出力ポートと第２の出力ポートとを有し、受け付けた入力波長光信号を、各出力ポートから波長光信号を出力する。切替部３２は、各出力部３１の第１の出力ポートから出力された各波長光信号を、それぞれ異なる光経路に出力する。また各出力部３１は、波長多重光信号を伝送する複数の方路のそれぞれに対応し、前記入力波長光信号として、当該対応する方路を伝送した波長多重光信号に含まれる波長光信号と、他の出力部の第２の出力ポートから出力された波長光信号とを受け付け、当該各波長光信号の波長に基づいて、当該各波長光信号を、前記第１の出力ポートおよび前記第２の出力ポートのいずれかから出力する。【選択図】図２
2014022865.tif 000002
【特許請求の範囲】
【請求項１】
第１の出力ポートと第２の出力ポートとを有し、受け付けた入力波長光信号を、各出力ポートから出力する複数の分岐波長選択入力部と、
各分岐波長選択入力部の第１の出力ポートから出力された各波長光信号を、それぞれ異なる光経路に出力する分岐出力部と、を備え、
各分岐波長選択入力部は、波長多重光信号を伝送する複数の方路のそれぞれに対応し、前記入力波長光信号として、当該対応する方路を伝送した波長多重光信号に含まれる波長光信号と、他の分岐波長選択入力部の第２の出力ポートから出力された波長光信号とを受け付け、当該各波長光信号の波長に基づいて、当該各波長光信号を、前記第１の出力ポートおよび前記第２の出力ポートのいずれかから出力する、光信号分岐装置。
【請求項２】
前記各分岐波長選択入力部は、
前記入力波長光信号から、特定波長の波長光信号を選択して出力する第１波長選択スイッチと、
前記第１波長選択スイッチが出力した波長光信号を、当該波長光信号の波長に基づいて、前記第１の出力ポートおよび前記第２の出力ポートのいずれかに出力する第２波長選択スイッチと、
を有する、
請求項１に記載の光信号分岐装置。
【請求項３】
前記各分岐波長選択入力部は、
前記第１波長選択スイッチが出力した波長光信号を増幅し、当該増幅した波長光信号を前記第２波長選択スイッチに入力する光増幅器、
をさらに有する、請求項２に記載の光信号分岐装置。
【請求項４】
前記分岐出力部を複数備え、
前記各分岐波長選択入力部は、複数の前記第１の出力ポートを有し、各第１の出力ポートは、前記複数の分岐出力部のそれぞれと接続される、
請求項１ないし３のいずれか１項に記載の光信号分岐装置。
【請求項５】
波長多重光信号を伝送する複数の方路のそれぞれに対応し、対応する方路に接続される第３の出力ポートと、第４の出力ポートとを有し、受け付けた入力波長光信号を、各出力ポートから出力する複数の挿入波長選択出力部と、
複数の光経路からの波長光信号を受け付け、受け付けた各波長光信号をそれぞれ異なる前記挿入波長選択出力部に出力する挿入入力部と、
を備え、
各挿入波長選択出力部は、前記入力波長光信号として、前記挿入入力部から出力された波長光信号と、他の挿入波長選択出力部の第４の出力ポートから出力された波長光信号とを受け付け、当該各波長光信号の波長に基づいて、前記第３の出力ポートおよび前記第４の出力ポートのいずれかから当該各波長光信号を出力する、光信号挿入装置。
【請求項６】
前記各挿入波長選択出力部は、
前記波長光信号のうち、特定波長の波長光信号を選択して出力する第３波長選択スイッチと、
前記第３波長選択スイッチが出力した波長光信号を、当該波長光信号の波長に基づいて、前記第３の出力ポートおよび前記第４の出力ポートのいずれかに出力する第４波長選択スイッチと、
を有する、請求項５に記載の光信号挿入装置。
【請求項７】
前記各挿入波長選択出力部は、
前記第３波長選択スイッチの出力した波長光信号を増幅し、当該増幅した波長光信号を前記第４波長選択スイッチに入力する光増幅器、
をさらに有する、請求項６に記載の光信号挿入装置。
【請求項８】
前記挿入入力部を複数備え、
前記各挿入波長選択出力部は、複数の入力ポートを有し、各入力ポートは、前記複数の挿入入力部とそれぞれ接続される、
請求項５ないし７のいずれか１項に記載の光信号挿入装置。
【発明の詳細な説明】
【技術分野】
【０００１】
本発明は、ＲＯＡＤＭ（Ｒｅｃｏｎｆｉｇｕｒａｂｌｅ  Ｏｐｔｉｃａｌ  Ａｄｄ／Ｄｒｏｐ  Ｍｕｌｔｉｐｌｅｘｅｒ）システムにて用いられる光信号分岐装置および光信号挿入装置に関する。
【背景技術】
【０００２】
光通信の分野では、クライアント装置間の経路それぞれに特定の波長を割り当て、この波長を有する光信号（以下、波長光信号と称する。）を多重化した波長多重光信号を光ファイバで伝送する波長分割多重（以下、ＷＤＭと称する。）技術が知られている。ＷＤＭ技術を用いて波長光信号を多重化することで、高速で大容量な伝送路の実現が可能となる。
【０００３】
ＷＤＭ技術を用いた通信システムとしては、ＲＯＡＤＭシステムが知られている。ＲＯＡＤＭシステムは、波長多重光信号に対して波長光信号を挿入し、また波長多重光信号から波長光信号を分岐させて取り出すＲＯＡＤＭノードを光ファイバでリング状に接続した構成を有する。なおクライアント装置は、中継インタフェースであるトランスポンダを介してＲＯＡＤＭノードと接続される。ＲＯＡＤＭシステムは、ＲＯＡＤＭノードに対して、そのＲＯＡＤＭノードが波長多重光信号から取り出す波長光信号の波長や、波長多重光信号に挿入する波長光信号の波長などを設定することで、クライアント装置間の仮想的な伝送路である光パスを構築する。これによりＲＯＡＤＭノードに接続されたクライアント装置は、この光パスを介して情報の伝送を行うことができる。
【０００４】
またＲＯＡＤＭシステムは、この光パスの開通および廃止を、ＲＯＡＤＭノードを遠隔制御することによって行うことができる。これにより、光パスの開通および廃止にかかる現地作業量を大幅に減らすことができ、効率よく柔軟性の高いＲＯＡＤＭシステムの運用を実現することが可能である。
【０００５】
次世代のＲＯＡＤＭシステムにおいては、より効率性および柔軟性の高いＲＯＡＤＭシステムの運用を実現するために、次の３つの機能が求められている。１つ目の機能は、ＲＯＡＤＭノードのどのポートにトランスポンダを接続した場合であっても、トランスポンダが、トランスポンダに入出力される波長光信号の波長として、ＲＯＡＤＭシステムで使用される全ての波長を用いることが可能なＣｏｌｏｒｌｅｓｓ機能である。
【０００６】
また２つ目の機能は、ＲＯＡＤＭノードのどのポートにトランスポンダを接続した場合であっても、トランスポンダが、ＲＯＡＤＭシステムに接続している全ての方路を伝送する全ての波長多重光信号に対して波長光信号を挿入することが可能であり、また全ての方路を伝送する全ての波長多重光信号から波長光信号を取り出すことが可能なＤｉｒｅｃｔｉｏｎｌｅｓｓ機能である。
【０００７】
また３つ目の機能は、Ｄｉｒｅｃｔｉｏｎｌｅｓｓ機能を有するＲＯＡＤＭシステムにおいて、ＲＯＡＤＭノードが接続される複数の方路を伝送する波長光信号のそれぞれに同一の波長を有する波長光信号が用いられたとしても、同一の波長の波長光信号同士が混ざり合う競合を起こさずに、波長光信号をトランスポンダに入出力することが可能なＣｏｎｔｅｎｔｉｏｎｌｅｓｓ機能である。これら３つの機能を合わせて、以下ＣＤＣ機能と称する。
【０００８】
例えば図１１は、本発明の関連技術であるＣｏｌｏｒｌｅｓｓ機能およびＤｉｒｅｃｔｉｏｎｌｅｓｓ機能を実現したＲＯＡＤＭノードの構成の一例である。図１１に示すＲＯＡＤＭノード９０は、光クロスコネクト部１００および光分岐挿入部９００を有する。光分岐挿入部９００は、光分岐部７００と光挿入部８００とを有し、光分岐部７００および光挿入部８００は、２つの対向する波長選択スイッチ（Ｗａｖｅｌｅｎｇｔｈ  Ｓｅｌｅｃｔｉｖｅ  Ｓｗｉｔｃｈ  以下、ＷＳＳと略す。）をそれぞれ有する。光分岐部７００の第１ＷＳＳ７１が有する複数の入力ポートに、同じ波長λ１の波長光信号が入力されると、第１ＷＳＳ７１は、いずれかのポートから入力された波長λ１の波長光信号しか出力することができない。従って、入力信号間で競合が発生し、Ｃｏｎｔｅｎｔｉｏｎｌｅｓｓ機能を実現することができない。
【０００９】
これに対して特許文献１には、ＣＤＣ機能を実現した光信号終端装置が開示されている。この光信号終端装置は、波長多重光信号をトランスポンダの数に分岐する光カプラと、トランスポンダに対応し、光カプラにて分岐された各波長多重光信号から所望の波長を有する波長光信号を含む波長多重光信号を選択する複数の光スイッチと、光スイッチにて選択された波長多重光信号から所望の波長を有する波長光信号を出力するチューナブル可変フィルタとを有する。
【先行技術文献】
【特許文献】
【００１０】
【特許文献１】特開２０１２−６０６２２号公報
【発明の概要】
【発明が解決しようとする課題】
【００１１】
しかしながら特許文献１に記載の光信号終端装置では、新しいトランスポンダをＲＯＡＤＭノードに接続することについては考慮されておらず、新しいトランスポンダを接続する場合には、装置構成を大幅に変更しなければならないため、スケーラビリティが低いという問題がある。
【００１２】
具体的には、光信号終端装置では、波長多重光信号をトランスポンダと同じ数に分岐する光カプラを設け、その分岐された波長多重光信号の数に応じて、光カプラ、光スイッチ、およびチューナブル可変フィルタのそれぞれを変更したり追加したりする必要があり、スケーラビリティが低い。なお複数の構成要素を追加する拡張は、配線の容易性の観点からも、筐体サイズの観点からも困難である。
【００１３】
そこで本発明は、スケーラビリティが高く、ＣＤＣ機能を有するＲＯＡＤＭシステムを実現することの可能な光信号分岐装置および光信号挿入装置を提供することを目的とする。
【課題を解決するための手段】
【００１４】
本発明による光信号分岐装置は、第１の出力ポートと第２の出力ポートとを有し、受け付けた入力波長光信号を、各出力ポートから波長光信号を出力する複数の分岐波長選択入力部と、各分岐波長選択入力部の第１の出力ポートから出力された各波長光信号を、それぞれ異なる光経路に出力する分岐出力部と、を有し、各分岐波長選択入力部は、波長多重光信号を伝送する複数の方路のそれぞれに対応し、前記入力波長光信号として、当該対応する方路を伝送した波長多重光信号に含まれる波長光信号と、他の出力部の第２の出力ポートから出力された波長光信号とを受け付け、当該各波長光信号の波長に基づいて、当該各波長光信号を、前記第１の出力ポートおよび前記第２の出力ポートのいずれかから出力する。
【００１５】
本発明による光信号挿入装置は、波長多重光信号を伝送する複数の方路のそれぞれに対応し、対応する方路に接続される第３の出力ポートと、第４の出力ポートとを有し、各出力ポートから波長光信号を出力する複数の挿入波長選択出力部と、複数の光経路からの波長光信号を受け付け、受け付けた各波長光信号をそれぞれ異なる前記挿入波長選択出力部に入力する挿入入力部と、を有し、各挿入波長選択出力部は、前記挿入入力部から入力された波長光信号と、他の挿入波長選択出力部の第４の出力ポートから出力された波長光信号とを受け付け、当該各波長光信号の波長に基づいて、前記第３の出力ポートおよび前記第４の出力ポートのいずれかから前記各波長光信号を出力する。
【発明の効果】
【００１６】
本発明によれば、スケーラビリティが高く、ＣＤＣ機能を有するＲＯＡＤＭシステムを実現することが可能である。
【図面の簡単な説明】
【００１７】
【図１】本発明の一実施形態にかかるＲＯＡＤＭノードの構成を示す説明図である。
【図２】本実施形態にかかるＲＯＡＤＭノードの光分岐部の詳細な構成を示す説明図である。
【図３】本実施形態にかかるＲＯＡＤＭノードの光挿入部の詳細な構成を示す説明図である。
【図４】本実施形態にかかる２つのＲＯＡＤＭノードが３つの方路で接続されたＲＯＡＤＭシステムの構成図である。
【図５】本実施形態にかかるＲＯＡＤＭシステムにおいて障害が発生したときの状況を説明するための説明図である。
【図６】本実施形態にかかるＲＯＡＤＭシステムにおいて障害が発生した後の動作例について説明するための説明図である。
【図７】本実施形態にかかるＲＯＡＤＭノードが３方路と接続された場合の光分岐部の詳細な構成を示す説明図である。
【図８】本実施形態にかかるＲＯＡＤＭシステムにおいて障害が発生する前の光分岐部の状態を説明するための説明図である。
【図９】本実施形態にかかるＲＯＡＤＭシステムにおいて障害が発生した場合の光分岐部の状態を説明するための説明図である。
【図１０】本実施形態にかかるＲＯＡＤＭシステムにおいて障害が発生した後の動作例を説明するための説明図である。
【図１１】本発明の関連技術を示すＣｏｌｏｒｌｅｓｓ機能およびＤｉｒｅｃｔｉｏｎｌｅｓｓ機能を実現したＲＯＡＤＭノードの構成の一例である。
【発明を実施するための形態】
【００１８】
以下、本発明の実施形態について添付の図面を参照して説明する。なお、本明細書および図面において、同一の機能を有する構成要素については同じ符号を付することにより重複説明を省略する場合がある。
【００１９】
なお、本明細書および図面において、同一の機能を有する複数の構成要素を、同一の符号の後にハイフンを介して異なる数字を付して区別する場合がある。例えば同一の機能を有する複数の構成を、必要に応じてそれぞれ分岐マトリクススイッチ３２−１、および分岐マトリクススイッチ３２−２として区別する。ただし、同一の機能を有する複数の構成要素のそれぞれを区別する必要がない場合には、同一符号のみを付する。例えば、分岐マトリクススイッチ３２−１、および分岐マトリクススイッチ３２−２を特に区別する必要がない場合には、単に分岐マトリクススイッチ３２と称する。
【００２０】
また以下の説明中において、ＲＯＡＤＭノードが伝送する光信号のうち、特定の波長の光信号について述べる場合には、波長光信号と称する。また特にこの波長光信号を多重化した状態の光信号について述べる場合には、波長多重光信号と称する。また、波長光信号であるか波長多重光信号であるかを問わない場合には、単に光信号と称する場合もある。
【００２１】
まず本発明の一実施形態にかかるＲＯＡＤＭノードの構成について説明する。図１は、本発明の一実施形態にかかるＲＯＡＤＭノードの構成を示す説明図である。図１に示すＲＯＡＤＭノード１０は、光クロスコネクト部１００と、光分岐挿入部２００とを有する。なおＲＯＡＤＭノード１０は、図示しないネットワークマネジメントシステム（以下、ＮＭＳと称する。）と接続され、ＮＭＳからの指示に従って動作する。
【００２２】
光クロスコネクト部１００は、ＲＯＡＤＭノード１０に波長多重光信号を入力するＮ本の方路それぞれに対応したＮ個の分波器１１と、ＲＯＡＤＭノード１０から波長多重光信号を出力するＮ本の方路それぞれに対応したＮ個の合波器１２とを有する。また光分岐挿入部２００は、光分岐部３００と光挿入部４００とを有する。なお、Ｎは、２以上の整数である。
【００２３】
分波器１１は、対応する方路から入力された波長多重光信号を分波し、分波した光信号を光分岐部３００および合波器１２に入力する。
【００２４】
合波器１２は、分波器１１および光挿入部４００から入力された光信号を合波し、合波した光信号である波長多重光信号を対応する方路から出力する。
【００２５】
光分岐部３００は、各分波器１１から入力された光信号をトランスポンダ部５０に含まれる各トランスポンダに分岐する。トランスポンダ部５０は、複数のトランスポンダを有し、それぞれのトランスポンダが光分岐部３００および光挿入部４００と接続されている。光分岐部３００は、波長多重光信号に含まれる波長光信号の波長毎に異なるトランスポンダに波長光信号を入力する。
【００２６】
光挿入部４００は、各トランスポンダから入力された波長光信号を多重化した波長多重光信号を生成して、合波部１２に入力する。光挿入部４００は、入力された波長光信号の波長毎に定められる方路に対応する合波器１２に光信号を入力する。
【００２７】
以上説明した構成により、ＲＯＡＤＭノード１０は、各方路から入力される波長多重光信号Ｉｎ１〜Ｎを各トランスポンダに出力する波長光信号に分岐し、トランスポンダから入力される波長光信号を、各方路を伝送する波長多重光信号に挿入する。
【００２８】
あるクライアント装置がこのＲＯＡＤＭシステムを介して他のクライアント装置まで情報を伝送しようとする場合、ＮＭＳは、この情報の送信元である送信元クライアント装置が接続された送信元のＲＯＡＤＭノード１０が、この情報の宛先である宛先クライアント装置の接続された宛先のＲＯＡＤＭノード１０に向かう方路を伝送する波長多重光信号に、この情報を伝送するための波長光信号を挿入するように、挿入する波長光信号の波長を設定する。またこのときＮＭＳは、宛先のＲＯＡＤＭノードが、この情報を伝送するための波長光信号を分岐して、宛先クライアント装置の接続されたトランスポンダに分岐した波長光信号を入力するように、宛先のＲＯＡＤＭノードにおいて分岐する波長光信号の波長を設定する。これにより、ＲＯＡＤＭシステムは、送信元クライアント装置および宛先クライアント装置間の仮想的な伝送路である光パスを構成することができる。
【００２９】
次に、本実施形態にかかるＲＯＡＤＭノードの光分岐部３００の詳細な構成について説明する。
【００３０】
図２は、本実施形態にかかるＲＯＡＤＭノードの光分岐部の詳細な構成を示す説明図である。図２に示す光分岐部３００は、各方路に対応するＮ個の分岐波長選択入力部３１と、各分岐波長選択入力部３１から出力された各波長光信号を、それぞれ異なる光経路に出力する切替部である分岐マトリクススイッチ３２とを有する。各分岐波長選択入力部３１は、分岐マトリクススイッチ３２に波長光信号を出力する第１の出力ポートと、他の分岐波長選択入力部３１に光信号を出力する第２の出力ポートとを有する。各分岐波長選択入力部３１は、対応する方路を伝送した波長多重光信号に含まれ、分岐部１１にて分岐されたのちに分岐波長選択入力部３１に出力される波長光信号と、他の分岐波長選択入力部３１から出力された光信号とを入力波長光信号として受け付け、各波長光信号の波長に基づいて、各波長光信号を、第１の出力ポートおよび第２の出力ポートのいずれかから出力する。
【００３１】
具体的には、各分岐波長選択入力部３１は、第１ＷＳＳ３３と、光増幅器３４と、第２ＷＳＳ３５とを有する。なお図２においては、第１方路に対応する第１の分岐波長選択入力部３１−１のみ図示しているが、第２方路から第Ｎ方路についても同様に、第１ＷＳＳ３３−２、光増幅器３４−２、および第２ＷＳＳ３５−２をまとめて第２の分岐波長選択入力部３１−２と称し、第１ＷＳＳ３３−Ｎ、光増幅器３４−Ｎ、および第２ＷＳＳ３５−Ｎをまとめて第Ｎの分岐波長選択入力部３１−Ｎと称する。
【００３２】
第１ＷＳＳ３３および第２ＷＳＳ３５は、入力ポート毎に、その入力ポートに入力された光波長信号の透過、遮断、およびレベル調整を行うことができ、内部の光スイッチの向きを調整することで、出力ポートを選択することが可能なデバイスである。第１ＷＳＳ３３および第２ＷＳＳ３５は、それぞれＮＭＳからの指示に従って動作する。なお、第１ＷＳＳ３３および第２ＷＳＳ３５は、光波長信号の波長に応じて、その光波長信号の透過、遮断、およびレベル調整を行う。
【００３３】
第１ＷＳＳ３３は、Ｎ個の入力ポートと１つの出力ポートとを有する。Ｎ個の入力ポートは、対応する方路と接続された１つの第１の入力ポートＩ３１と、他の分岐波長選択入力部３１と接続された（Ｎ−１）個の第２の入力ポートＩ３２とを含む。第１ＷＳＳ３３は、これらの入力ポートにて、対応する方路を伝送した波長多重光信号に含まれる波長光信号と、他の分岐波長選択入力部３１から入力された光信号とを受け付け、予め設定された波長の波長光信号を選択的に透過させて光増幅器３４に入力する。
【００３４】
光増幅器３４は、入力された光信号を電気信号に変換せずに、光の状態のままで光信号を増幅するデバイスである。光増幅器３４は、例えばレーザー増幅器である。また光増幅器３４は、光ファイバ増幅器、又は半導体光増幅器（ＳＯＡ）であってもよい。光増幅器３４は、第１ＷＳＳ３３から入力された光信号を増幅して第２ＷＳＳ３５に入力する。
【００３５】
第２ＷＳＳ３５は、１つの入力ポートと２以上の整数であるＭ個の出力ポートとを有する。Ｍ個の出力ポートは、各分岐マトリクススイッチ３２と接続された第１の出力ポートＯ３１と、他の分岐波長選択入力部３１の入力ポートのそれぞれと接続された第２の出力ポートＯ３２とを含む。第２ＷＳＳ３５は、光増幅器３４から入力された光信号に含まれる各波長光信号の波長に基づいて、各波長光信号を、第１の出力ポートＯ３１および第２の出力ポートＯ３２のいずれかから出力する。
【００３６】
分岐マトリクススイッチ３２は、Ｎ個の入力ポートとＮ個の出力ポートとを、ＮＭＳが設定した組合せで接続するスイッチである。分岐マトリクススイッチ３２は、各分岐波長選択入力部３１の第１の出力ポートと接続されるＮ個の入力ポートと、各トランスポンダの受信部と接続されるＮ個の出力ポートとを有する。なおここで分岐マトリクススイッチ３２の個数Ｌは、１以上の整数である。各分岐マトリクススイッチ３２は、Ｎ個の分岐波長選択入力部３１のそれぞれの第１の出力ポートと接続される。
【００３７】
次に、本実施形態にかかるＲＯＡＤＭノード１０の光挿入部４００の詳細な構成について説明する。
【００３８】
図３は、本実施形態にかかるＲＯＡＤＭノードの光挿入部の詳細な構成を示す説明図である。図３に示す光挿入部４００は、複数の光経路からの波長光信号の経路を切り替えて、複数の挿入波長選択出力部４２のいずれかに入力する切替部である挿入マトリクススイッチ４１と、各方路に対応するＮ個の挿入波長選択出力部４２とを有する。
【００３９】
挿入マトリクススイッチ４１は、Ｎ個の入力ポートとＮ個の出力ポートとをＮＭＳが設定した組合せで接続するスイッチである。挿入マトリクススイッチ４１は、トランスポンダ部５０に含まれるトランスポンダと接続されるＮ個の入力ポートと、各挿入波長選択出力部４２の入力ポートと接続されるＮ個の出力ポートとを有する。なおここで挿入マトリクススイッチ４１の個数Ｌは、１以上の整数である。Ｌが２以上である場合には、各挿入マトリクススイッチ４１は、それぞれＮ個の挿入波長選択出力部４２の入力ポートと接続される。
【００４０】
各挿入波長選択出力部４２は、対応する方路に接続される第３の出力ポートと、他の挿入波長選択出力部４２に接続される第４の出力ポートとを有する。各挿入波長選択出力部４２は、各挿入マトリクススイッチ４１から入力された波長光信号と、他の挿入波長選択出力部４２から入力された光信号とを入力波長光信号として受け付け、各波長光信号の波長に基づいて、各波長光信号を、第３の出力ポートＯ４３および第４の出力ポートＯ４４のいずれから出力する。
【００４１】
具体的には、挿入波長選択出力部４２は、第３ＷＳＳ４３と、光増幅器４４と、第４ＷＳＳ４５とを有する。なお図３においては、第１方路に対応する第１の挿入波長選択出力部４２のみ図示しているが、第２方路ないし第Ｎ方路についても同様に、対応する挿入波長選択出力部４２を、第３ＷＳＳ４３−２、光増幅器４４−２、および第４ＷＳＳ４５−２をまとめて第２の挿入波長選択出力部４２−２と称し、第３ＷＳＳ４３−Ｎ、光増幅器４４−Ｎ、および第４ＷＳＳ４５−Ｎをまとめて第Ｎの挿入波長選択出力部４２−Ｎと称する。
【００４２】
第３ＷＳＳ４３および第４ＷＳＳ４５は、入力ポート毎に、その入力ポートに入力された光波長信号の透過、遮断、およびレベル調整を行うことができ、内部の光スイッチの向きを調整することで、出力ポートを選択することが可能なデバイスである。第３ＷＳＳ４３および第４ＷＳＳ４５は、それぞれＮＭＳの指示に従った設定で動作する。なお、第３ＷＳＳ４３および第４ＷＳＳ４５は、光波長信号の波長に応じて、その光波長信号の透過、遮断、およびレベル調整を行う。
【００４３】
第３ＷＳＳ４３は、Ｍ個の入力ポートと１つの出力ポートとを有する。Ｍ個の入力ポートは、各挿入マトリクススイッチ４１と接続される第３の入力ポートＩ４３と、他の挿入波長選択出力部４２と接続される第４の入力ポートＩ４４とを含む。第３ＷＳＳ４３は、これらの入力ポートにて、挿入マトリクススイッチ４１から入力される波長光信号と、他の挿入波長選択出力部４２から入力された光信号とを受け付け、予め設定された波長の波長光信号を選択的に透過させて光増幅器４４に入力する。
【００４４】
光増幅器４４は、入力された光信号を電気信号に変換せずに、光の状態のままで光信号を増幅するデバイスである。光増幅器４４は、例えばレーザー増幅器である。また光増幅器４４は、光ファイバ増幅器、又は半導体光増幅器（ＳＯＡ）であってもよい。光増幅器４４は、第３ＷＳＳ４３から入力された光信号を増幅して第４ＷＳＳ４５に入力する。
【００４５】
第４ＷＳＳ４５は、１つの入力ポートとＮ個の出力ポートとを有する。Ｎ個の出力ポートは、各方路と接続される第３の出力ポートＯ４３と、他の挿入波長選択出力部４２の入力ポートのそれぞれと接続された第４の出力ポートＯ４４とを含む。第４ＷＳＳ４５は、光増幅器４４から入力された光信号に含まれる各波長光信号の波長に基づいて、各波長光信号を、第３の出力ポートＯ４３および第４の出力ポートＯ４４のいずれかから出力する。
【００４６】
次に、本実施形態にかかるＲＯＡＤＭシステムに障害が発生した場合のＲＯＡＤＭノード１０の動作について説明する。図４は、本実施形態にかかる２つのＲＯＡＤＭノードが３つの方路で接続されたＲＯＡＤＭシステムの構成図である。
【００４７】
図４では、説明を簡略化するために、３つの方路を有するＲＯＡＤＭノード１０Ａを例に挙げて説明する。ＲＯＡＤＭシステムは、ＲＯＡＤＭノード１０Ａおよび１０Ｂを有し、ＲＯＡＤＭノード１０Ａおよび１０Ｂは、３つの方路Ｄｉｒ１〜３で接続されている。また、ＲＯＡＤＭノード１０Ａはトランスポンダ部５０Ａと接続され、ＲＯＡＤＭノード１０Ｂはトランスポンダ部５０Ｂと接続されている。
【００４８】
図５は、本実施形態にかかるＲＯＡＤＭシステムにおいて障害が発生したときの状況を説明するための説明図である。障害が発生していない通常時において、ＲＯＡＤＭノード１０Ｂは、トランスポンダ部５０Ｂから入力された波長光信号のうち、波長λ１の波長光信号を、方路Ｄｉｒ１を介してＲＯＡＤＭノード１０Ａに伝送し、波長λ２の波長光信号を、方路Ｄｉｒ２を介してＲＯＡＤＭノード１０Ａに伝送している。このようなＲＯＡＤＭシステムにおいて、方路Ｄｉｒ２において障害が発生した場合の動作例を次に説明する。
【００４９】
図６は、本実施形態にかかるＲＯＡＤＭシステムにおいて障害が発生した後の動作例について説明するための説明図である。
【００５０】
方路Ｄｉｒ２が障害で使用できない状況となった場合、障害を検知したＮＭＳは、ＲＯＡＤＭノード１０Ｂに対して、波長λ２の波長光信号を方路Ｄｉｒ１に出力するよう設定変更する。すると、ＲＯＡＤＭノード１０Ａには、方路Ｄｉｒ１から波長λ１および波長λ２の波長光信号を含む波長多重光信号が入力される。
【００５１】
ここでＲＯＡＤＭノード１０Ａの光分岐部３００の詳細な構成について説明する。図７は、本実施形態にかかるＲＯＡＤＭノードが３方路と接続された場合の光分岐部の詳細な構成を示す説明図である。
【００５２】
図７に示す光分岐部３００は、方路Ｄｉｒ１に対応した第１の分岐波長選択入力部３１−１と、方路Ｄｉｒ２に対応した第２の分岐波長選択入力部３１−２と、方路Ｄｉｒ３に対応した第３の分岐波長選択入力部３１−３と、１つの分岐マトリクススイッチ３２とを有する。各分岐波長選択入力部３１は、第１ＷＳＳ３３と、光増幅器３４と、第２ＷＳＳ３５とを有する。
【００５３】
ＲＯＡＤＭシステムにおいて障害が発生する前の通常時に、ＲＯＡＤＭノード１０Ａは、方路Ｄｉｒ１から波長λ１の波長光信号を含む波長多重光信号が入力され、方路Ｄｉｒ２から波長λ２の波長光信号を含む波長多重光信号が入力されている。図８は、本実施形態にかかるＲＯＡＤＭシステムにおいて障害が発生する前の光分岐部の状態を説明するための説明図である。
【００５４】
障害が発生する前の通常時においては、ＮＭＳは、分波器１１−１が波長λ１の波長光信号を光分岐部３００に入力し、分波器１１−２が波長λ２の波長光信号を光分岐部３００に入力するよう設定している。
【００５５】
このため、方路Ｄｉｒ１から波長λ１の波長光信号を含む波長多重光信号が入力されると、分波器１１−１は波長λ１の波長光信号を含む波長多重光信号を分波して光分岐部３００の第１分岐波長選択入力部３１−１に入力する。また分波器１１−２は、波長λ２の波長光信号を分波して光分岐部３００の第２分岐波長選択入力部３１−２に入力する。
【００５６】
またＮＭＳは、第１分岐波長選択入力部３１−１が波長λ１の波長光信号を透過して分岐マトリクススイッチ３２に入力するように設定している。またＮＭＳは、第２分岐波長選択入力部３１−２が波長λ２の波長光信号を透過して分岐マトリクススイッチ３２に入力するように設定している。またＮＭＳは、分岐マトリクススイッチ３２が、第１分岐波長選択入力部３１−１と接続された入力ポートと、第１トランスポンダ５１−１と接続された出力ポートとを接続し、第２分岐波長選択入力部３１−２と接続された入力ポートと、第２トランスポンダ５１−２と接続された出力ポートとを接続し、第３分岐波長選択入力部３１−３と接続された入力ポートと、第３トランスポンダ５１−３と接続された出力ポートとを接続するよう設定している。
【００５７】
このため、第１ＷＳＳ３３−１は、波長λ１の波長光信号を含む波長多重光信号と、他の分岐波長選択入力部３１から入力された波長多重光信号とから、波長λ１の波長光信号を少なくとも含む光信号を透過させて光増幅器３４−１に入力する。光増幅器３４−１は、入力された光信号を増幅して第２ＷＳＳ３５−１に入力する。第２ＷＳＳ３５−１は、入力された光信号から波長λ１の波長光信号を分岐マトリクススイッチ３２に入力する。分岐マトリクススイッチ３２は、入力された波長光信号を、第１トランスポンダ５１−１と接続された出力ポートから出力する。
【００５８】
また第１ＷＳＳ３３−２は、波長λ２の波長光信号を含む波長多重光信号と、他の分岐波長選択入力部３１から入力された波長多重光信号とから、波長λ２の波長光信号を少なくとも含む光信号を透過させて光増幅器３４−２に入力する。光増幅器３４−２は、入力された光信号を増幅して第２ＷＳＳ３５−２に入力する。第２ＷＳＳ３５−２は、入力された光信号から波長λ２の波長光信号を分岐マトリクススイッチ３２に入力する。分岐マトリクススイッチ３２は、入力された波長光信号を、第２トランスポンダ５１−２と接続された出力ポートから出力する。
【００５９】
次に、方路Ｄｉｒ２において障害が発生し、図６に示したように、波長λ２の波長光信号を迂回して方路Ｄｉｒ１からＲＯＡＤＭノード１０Ａに入力した場合の動作例について説明する。図９は、本実施形態にかかるＲＯＡＤＭシステムにおいて障害が発生した場合の光分岐部の状態を説明するための説明図である。また図１０は、本実施形態にかかるＲＯＡＤＭシステムにおいて障害が発生した後の動作例を説明するための説明図である。
【００６０】
図９に示すように方路Ｄｉｒ２において障害が発生すると、第１ＷＳＳ３３−２には、波長λ２の波長光信号を含む光信号が入力されなくなる。したがってこの場合、第２トランスポンダ５１−２には、波長λ２の波長光信号が伝送されない。
【００６１】
このときＮＭＳは、図１０に示すように方路Ｄｉｒ１に対応した分波器１１−１の設定を変更して、分波器１１−１が、第１ＷＳＳ３３−１に波長λ１およびλ２の波長光信号を含む波長多重光信号を入力するよう指示する。またＮＭＳは、第１ＷＳＳ３３−１の設定を変更して、第１ＷＳＳ３３−１が波長λ１の波長光信号と波長λ２の波長光信号とを透過して光増幅器３４−１に入力するよう指示する。またＮＭＳは、第２ＷＳＳ３５−１の設定を変更して、第２ＷＳＳ３５−１が波長λ１の波長光信号を分岐マトリクススイッチ３２に入力し、波長λ２の波長光信号を第２分岐波長選択入力部３１−２の第１ＷＳＳ３３−２に入力するよう指示する。
【００６２】
すると、第２分岐波長選択入力部３１−２は、設定を変更することなく、第１分岐波長選択入力部３１−１から出力される波長λ２の波長光信号を透過して分岐マトリクススイッチ３２に入力することができる。
【００６３】
以上説明したように、本実施形態では、ＲＯＡＤＭノード１０の光分岐部３００は、ＲＯＡＤＭノード１０に波長多重光信号を入力する方路ごとにそれぞれ対応する分岐波長選択入力部３１と、分岐波長選択入力部３１から出力された波長光信号をそれぞれ異なる光経路に出力する分岐マトリクススイッチ３２とを有する。かかる構成によれば、方路ごとにそれぞれ異なる分岐波長選択入力部３１が、波長多重光信号から分岐される波長光信号を受ける。このため、それぞれの方路から同じ波長の波長光信号が光分岐部３００に入力された場合であっても、光分岐部３００に入力された波長光信号が混ざり合わないため競合を起こさず、Ｃｏｎｔｅｎｔｉｏｎｌｅｓｓ機能を実現することができる。したがってＣＤＣ機能を有するＲＯＡＤＭシステムを実現することが可能となる。
【００６４】
また分岐波長選択入力部３１は、それぞれがトランスポンダと接続される１または複数の分岐マトリクススイッチ３２に接続することができるため、新たなトランスポンダをＲＯＡＤＭノード１０に接続する場合、その新たなトランスポンダと接続される分岐マトリクススイッチ３２を追加するだけでよくなる。このため、新しいトランスポンダをＲＯＡＤＭノード１０に接続する場合における装置構成の大幅な変更を抑制することが可能になり、スケーラビリティを向上させることが可能になる。したがって、スケーラビリティの高いＲＯＡＤＭシステムを実現することが可能になる。
【００６５】
また、分岐波長選択入力部３１を方路ごとに設けると、単純に分岐波長選択入力部３１を分岐マトリクススイッチ３２と接続しただけでは、障害が発生した場合に波長光信号を迂回させることができなくなってしまう。そこで、本実施形態では、分岐波長選択入力部３１から出力される光信号を他の分岐波長選択入力部３１に入力する。これにより、障害が発生した場合であっても、障害が発生した方路と異なる方路からＲＯＡＤＭノード１０が所望の波長の波長光信号を受信し、ＮＭＳから分波器１１および分岐波長選択入力部３１の設定を変更するだけで、トランスポンダと接続されるクライアント装置間の光パスを復旧させることができ、耐障害性の高いＲＯＡＤＭシステムを実現することが可能となる。
【００６６】
また本実施形態では、各分岐波長選択入力部３１は、受け付けた波長光信号から、特定波長の波長光信号を選択して出力する第１ＷＳＳ３３と、第１ＷＳＳ３３が出力した各波長光信号を、当該波長光信号の波長に基づいて、分岐マトリクススイッチ３２に接続された第１の出力ポート、および他の分岐波長選択入力部３１に接続された第２の出力ポートのいずれかに出力する第２ＷＳＳ３５とを有する。これにより、確実に特定波長の波長光信号を特定の光経路に出力することができる。
【００６７】
また本実施形態では、第１ＷＳＳ３３と第２ＷＳＳ３５との間に光増幅器が設けられる。これにより、出力する波長光信号の強度が高まり、さらに確実に特定波長の波長光信号を特定の光経路に出力することができる。
【００６８】
また本実施形態では、ＲＯＡＤＭノードの光挿入部４００は、複数の光経路からの波長光信号を受け付け、受け付けた各波長光信号をそれぞれ異なる挿入波長選択出力部４２に出力する挿入マトリクススイッチ４１と、ＲＯＡＤＭノード１０から出力される波長多重光信号を伝送する複数の方路のそれぞれに対応して設けられ、受け付けた光信号から特定波長の波長光信号を取出して波長多重光信号に挿入する挿入波長選択出力部４２とを有する。かかる構成によれば、方路ごとにそれぞれ異なる挿入波長選択出力部４２が各光経路から波長多重光信号に挿入される波長光信号を受ける。このため、それぞれの光経路から入力された波長光信号の波長が同一である場合であっても、光挿入部４００に入力された波長光信号同士が混ざり合わないため競合を起こさず、Ｃｏｎｔｅｎｔｉｏｎｌｅｓｓ機能を実現することができる。したがってＣＤＣ機能を有するＲＯＡＤＭシステムを実現することが可能となる。
【００６９】
また挿入波長選択出力部４２は、それぞれがトランスポンダと接続される１または複数の挿入マトリクススイッチ４１に接続することができるため、新たなトランスポンダをＲＯＡＤＭノード１０に接続する場合、その新たなトランスポンダと接続される挿入マトリクススイッチ４１を追加するだけでよくなる。このため、新しいトランスポンダをＲＯＡＤＭノード１０に接続する場合における装置構成の大幅な変更を抑制することが可能になり、スケーラビリティを向上させることが可能になる。したがって、スケーラビリティの高いＲＯＡＤＭシステムを実現することが可能になる。
【００７０】
また、挿入波長選択出力部４２を方路ごとに設けると、単純に挿入波長選択出力部４２を挿入マトリクススイッチ４１と接続しただけでは、障害が発生した場合に波長光信号を迂回させることができなくなってしまう。そこで、本実施形態では、挿入波長選択出力部４２から出力される光信号を他の挿入波長選択出力部４２に入力する。これにより、障害が発生した場合であっても、障害が発生した方路と異なる方路からＲＯＡＤＭノード１０が所望の波長の波長光信号を受信し、ＮＭＳから合波器１２および挿入波長選択出力部４２の設定を変更することで、トランスポンダと接続されるクライアント装置間の光パスを復旧させることができ、耐障害性の高いＲＯＡＤＭシステムを実現することが可能になる。
【００７１】
また本実施形態では、各挿入波長選択出力部４２は、受け付けた波長光信号から、特定波長の波長光信号を選択して出力する第３ＷＳＳ４３と、第３ＷＳＳ４３が出力した波長光信号を、当該波長光信号の波長に基づいて、対応する方路に接続された第３の出力ポート、および他の挿入波長選択出力部４２に接続された第４の出力ポートのいずれかに出力する第４ＷＳＳ４５を有する。これにより、確実に特定波長の波長光信号を特定の方路に出力することができる。
【００７２】
また本実施形態では、第３ＷＳＳ４３と第４ＷＳＳ４５との間に光増幅器４４が設けられる。これにより、出力する波長光信号の強度が高まり、さらに確実に特定波長の波長光信号を特定の方路に出力することができる。
【００７３】
以上説明した実施形態において、図示した構成は単なる一例であって、本発明はその構成に限定されるものではない。
【００７４】
例えば上記実施形態では、Ｎ個の方路と接続されたＲＯＡＤＭノード１０において、第１ＷＳＳ３３は、Ｎ個の入力ポートを有し、分岐マトリクススイッチ３２はＮ個の入力ポートおよびＮ個の出力ポートを有することとしたが、本発明はかかる例に限定されない。ここで示すポート数は一例であり、使用されていない予備のポートを含めてより多くのポートを有してもよい。また第２ＷＳＳ３５はＭ個の出力ポートを有するが、ここでＭは、他の分岐波長選択入力部３１の数（Ｎ−１）と接続される分岐マトリクススイッチの数Ｌとを加えた数以上の整数である。
【符号の説明】
【００７５】
１０        ＲＯＡＤＭノード
１００      光クロスコネクト部
１１        分波器
１２        合波器
２００      光分岐挿入部
３００      光分岐部
３１        分岐波長選択入力部
３２        分岐マトリクススイッチ（分岐出力部）
３３        第１ＷＳＳ（第１波長選択スイッチ）
３４        光増幅器
３５        第２ＷＳＳ（第２波長選択スイッチ）
４００      光挿入部
４１        挿入マトリクススイッチ（挿入入力部）
４２        挿入波長選択出力部
４３        第３ＷＳＳ（第３波長選択スイッチ）
４４        光増幅器
４５        第４ＷＳＳ（第４波長選択スイッチ）
５０        トランスポンダ部
５１        トランスポンダ
【図１】
2014022865.tif 000003
【図２】
2014022865.tif 000004
【図３】
2014022865.tif 000005
【図４】
2014022865.tif 000006
【図５】
2014022865.tif 000007
【図６】
2014022865.tif 000008
【図７】
2014022865.tif 000009
【図８】
2014022865.tif 000010
【図９】
2014022865.tif 000011
【図１０】
2014022865.tif 000012
【図１１】
2014022865.tif 000013